(57)【特許請求の範囲】
【請求項１】
床面上に載置される脚部と、該脚部に支持される座と、該座の後方側で前記脚部に支持される背凭れと、を備えた椅子の前記背凭れの上部に設置される遮蔽部材であって、
前記背凭れに設置された状態において、前記背凭れの上部の左右両側から、前記脚部の接地部の中心位置よりも前方側まで延出する一対の遮蔽用側壁部と、該一対の遮蔽用側壁部同士を連結する後壁部と、を有し、
前記背凭れの上部後面に対して前記後壁部で固定されることを特徴とする遮蔽部材。
【請求項２】
前記背凭れは、着座者の腰部位置に向かって前方に膨出するとともに、その最前突出位置が前記脚部の接地部の中心位置よりも後方に位置する膨出部を有することを特徴とする請求項１に記載の遮蔽部材。
【請求項３】
前記背凭れは、前記膨出部よりも上方側が後傾するように側面視で前方に凸に湾曲、若しくは、屈曲して形成されていることを特徴とする請求項２に記載の遮蔽部材。
【請求項４】
前記遮蔽用側壁部は、前記背凭れに設置された状態において、前記背凭れの幅方向の両端部の近傍から前方に延出することを特徴とする請求項１〜３のいずれか１項に記載の遮蔽部材。
【請求項５】
前記遮蔽用側壁部は、前記背凭れに設置された状態において、下端部が前記背凭れの上端部と略同一の高さに位置されることを特徴とする請求項１〜４のいずれか１項に記載の遮蔽部材。
【請求項６】
前記遮蔽用側壁部の下縁には、前記背凭れに設置された状態において、前記背凭れの上端部よりも前方側位置で上方側に凹状に窪む窪み部が設けられていることを特徴とする請求項１〜５のいずれか１項に記載の遮蔽部材。
【請求項７】
前記後壁部は、前記背凭れに設置された状態で前後となる方向が略中央領域の板厚方向となる芯材板を有することを特徴とする請求項１〜６のいずれか１項に記載の遮蔽部材。
【請求項８】
前記芯材板は、背凭れ側との連結部を有するとともに、左右方向の端部が前記遮蔽用側壁部の軟質基材の一部にのみ埋設されていることを特徴とする請求項７に記載の遮蔽部材。
【請求項９】
前記背凭れの上部にはヘッドレストが取り付けられ、
前記後壁部は、前記ヘッドレストの後方位置に設置されることを特徴とする請求項１〜８のいずれか１項に記載の遮蔽部材。
【請求項１０】
前記ヘッドレストは、下部において前記背凭れに取り付けられ、
前記後壁部には前方に延出する下部側連結部が設けられ、
前記後壁部は、前記下部側連結部によって前記ヘッドレストの前記下部に結合されていることを特徴とする請求項９に記載の遮蔽部材。
【請求項１１】
前記ヘッドレストは、下部において前記背凭れに取り付けられ、
前記後壁部には前方に延出する上部側連結部が設けられ、
前記後壁部は、前記上部側連結部によって前記ヘッドレストの前記下部よりも上方側部位に連結されていることを特徴とする請求項９または１０に記載の遮蔽部材。
【請求項１２】
床面上に載置される脚部と、該脚部に支持される座と、該座の後方側で前記脚部に支持される背凭れと、を備えた椅子において、
請求項１〜１１のいずれか１項に記載の遮蔽部材が前記背凭れに設置されていることを特徴とする椅子。
【発明の詳細な説明】
【技術分野】
【０００１】
この発明は、不要な外部視界を遮蔽する遮蔽部材、及び、その遮蔽部材を備えた椅子に関するものである。
【背景技術】
【０００２】
オフィス等の執務環境においては、多数の人が比較的近接した状況で作業を行う。このような環境においては、近接した人の視線や動きが気になり、執務等の作業に集中しずらくなる。
このため、このような環境を改善するための家具が案出されている（例えば、特許文献１，２参照）。
【０００３】
特許文献１，２に記載の家具は、机等の天板付き家具であり、天板上には隣接する作業空間を仕切る仕切りパネルが立設され、その仕切りパネルによって作業者の視界から隣接する作業空間の動きを遮蔽するようになっている。
【先行技術文献】
【特許文献】
【０００４】
【特許文献１】特許第５４６３６０８号公報
【特許文献２】特許第３８２６６７８号公報
【発明の概要】
【発明が解決しようとする課題】
【０００５】
しかし、特許文献１，２に記載の天板付き家具は、隣接する作業空間を仕切る仕切りパネルが天板上に立設されるものであるため、例えば、作業者の着座する椅子の位置が天板から離れたり、椅子の向きが左右方向に動くと、隣接する作業空間や他の作業者等の様子が視界に入り、執務等の作業に集中しにくくなることが懸念される。
【０００６】
そこでこの発明は、椅子の移動位置等に拘わらず、不要な外部視界を安定して遮蔽することができる遮蔽部材、及び、椅子を提供しようとするものである。
【課題を解決するための手段】
【０００７】
この発明に係る遮蔽部材は、床面上に載置される脚部と、該脚部に支持される座と、該座の後方側で前記脚部に支持される背凭れと、を備えた椅子の前記背凭れの上部に設置される遮蔽部材であって、前記背凭れに設置された状態において、前記背凭れの上部の左右両側から、前記脚部の接地部の中心位置よりも前方側まで延出する一対の遮蔽用側壁部と、該一対の遮蔽用側壁部同士を連結する後壁部と、を有し、前記背凭れの上部後面に対して前記後壁部で固定されることを特徴とする。
【０００８】
着座者が正規姿勢で椅子に着座すると、通常、着座者の頭部は脚部の接地部の中心位置よりも後方側に位置される。このため、正規姿勢で椅子に着座した着座者の頭部は、その左右の側方を一対の遮蔽用側壁部によって覆われる。この結果、着座者の側方や前部斜め側方の外部視界が一対の遮蔽用側壁部によって遮蔽されることになる。
この場合、遮蔽部材が左右の遮蔽用側壁部と後壁部によって平面視で略Ｕ字形状を成すようになる。このため、遮蔽用側壁部の前方からの入力荷重を後壁部で安定的に受け止め易くなる。
【０００９】
前記背凭れは、着座者の腰部位置に向かって前方に膨出するとともに、その最前突出位置が前記脚部の接地部の中心位置よりも後方に位置する膨出部を有する構造であっても良い。
この場合、着座者が正規姿勢で椅子に着座すると、着座者の腰部位置が脚部の接地部の中心位置よりも後方側に位置する背凭れの膨出部に当たり、着座者の頭部を含む腰部位置よりも上方側部分が後傾する。これにより、着座者の腰部位置よりも上方側部分は、膨出部よりも後方である背凭れの上部前面に近接する位置に位置されるようになる。このため、着座者の頭部を、腰部位置よりも相対的に後方へ位置させることができるので、着座者の頭部の左右の側方は、一対の遮蔽用側壁部によってより確実に遮蔽されることになる。
【００１０】
前記背凭れは、前記膨出部よりも上方側が後傾するように側面視で前方に凸に湾曲、若しくは、屈曲して形成されるようにしても良い。
この場合、背凭れの膨出部よりも上方側が後傾しているので、着座者の腰部を無理に曲げることなく、着座者の腰部よりも上方部分を自然に後傾させて頭部を後方に位置させることができる。
【００１１】
前記遮蔽用側壁部は、前記背凭れに設置された状態において、前記背凭れの幅方向の両端部の近傍から前方に延出する構造であることが望ましい。
この場合、正規姿勢で椅子に着座した着座者の頭部や肩部に対し、左右の遮蔽用側壁部が充分に離間して配置されることになる。この結果、着座者は上半身を余裕をもって動かすことが可能になる。
【００１２】
前記遮蔽用側壁部は、前記背凭れに設置された状態において、下端部が前記背凭れの上端部と略同一の高さであることが望ましい。
この場合、正規姿勢で椅子に着座した着座者の頭部よりも下側部分が遮蔽用側壁部によって遮蔽されずに外部から視認され易くなる。このため、この構造を採用した場合には、椅子に人が着座しているか否かを、着座者以外の外部の人が容易に目視確認することができる。
【００１３】
前記遮蔽用側壁部の下縁には、前記背凭れに設置された状態において、前記背凭れの上端部よりも前方側位置で上方側に凹状に窪む窪み部が設けられるようにしても良い。
この場合、遮蔽用側壁部に、椅子に着座した着座者の肩部を避けるように窪み部が配置されるため、着座者の肩部が遮蔽用側壁部と干渉しにくくなる。
【００１５】
前記後壁部は、前記背凭れに設置された状態で前後となる方向が略中央領域の板厚方向となる芯材板を有することが好ましい。
この場合、遮蔽用側壁部の前方からの入力荷重を、後壁部の芯材板によってより安定的に受け止めることができる。
【００１６】
前記芯材板は、背凭れ側との連結部を有するとともに、左右方向の端部が前記遮蔽用側壁部の軟質基材の一部にのみ埋設されるようにしても良い。
この場合、後壁部の芯材板は連結部を通して背凭れ側と連結されるが、芯材板の左右方向の端部は左右の遮蔽用側壁部の軟質基材の一部にのみ埋設される。このため、着座者や着座者以外の人が遮蔽用側壁部に接触することがあっても、遮蔽用側壁部が柔軟に撓んで接触者の動きを拘束したり、接触者に違和感を与えたりするのを抑制することができる。
【００１７】
前記背凭れの上部にはヘッドレストが取り付けられ、前記後壁部は、前記ヘッドレストの後方位置に設置されるようにしても良い。
この場合、着座者の頭部が後方に凭れたときに、その荷重をヘッドレストが受け止め、その荷重が後壁部に直接入力されにくくなる。
【００１８】
前記ヘッドレストは、下部において前記背凭れに取り付けられ、前記後壁部には前方に延出する下部側連結部が設けられ、前記後壁部は、前記下部側連結部によって前記ヘッドレストの前記下部に結合されるようにしても良い。
この場合、ヘッドレストに小荷重が入力されたときには、ヘッドレストから後壁部の上部領域に荷重が入力されるのを抑制することができ、また、ヘッドレストに前方側から大荷重が入力されたときには、ヘッドレストと後壁部が二重になって荷重を受け止めることができる。さらに、この場合、遮蔽部材の後壁部を下部側連結部によってヘッドレストの下部に結合し、その状態においてヘッドレストの下部を背凭れに取り付けることができる。このため、遮蔽部材とヘッドレストを容易に背凭れに取り付けることができる。また、ヘッドレストと遮蔽部材を個別に背凭れに取り付ける場合に比較して、背凭れに取り付けるための部品を削減することができる。
【００１９】
前記ヘッドレストは、下部において前記背凭れに取り付けられ、前記後壁部には前方に延出する上部側連結部が設けられ、前記後壁部は、前記上部側連結部によって前記ヘッドレストの前記下部よりも上方側部位に連結されるようにしても良い。
この場合、遮蔽部材の後壁部が上部側連結部を介してヘッドレストの上方側部位に連結されるため、遮蔽部材をヘッドレストにバランス良く支持させることができる。
後壁部が上部側連結部のみでヘッドレストに連結される場合には、ヘッドレストへの荷重の入力時に後壁部がヘッドレストと一体に変位し、後壁部に不要な応力が生じにくくなる。
また、後壁部が上部側連結部と下部側連結部とでヘッドレストに連結される場合には、後壁部を介してヘッドレストの支持剛性をより高めることができる。
【００２０】
この発明に係る椅子は、床面上に載置される脚部と、該脚部に支持される座と、該座の後方側で前記脚部に支持される背凭れと、を備えた椅子において、前記いずれかに記載の遮蔽部材が前記背凭れの上部に設けられるようにした。
【発明の効果】
【００２１】
この発明によれば、正規姿勢で椅子に着座した着座者の頭部の左右の側方が一対の遮蔽用側壁部によって覆われるため、椅子の移動位置等に拘わらず、不要な外部視界を安定して遮蔽することができる。
【図面の簡単な説明】
【００２２】
【図１】この発明の第１の実施形態に係る椅子の一使用形態を示す上面図である。
【図２】この発明の第１の実施形態に係る椅子の他の使用形態を示す上面図である。
【図３】この発明の第１の実施形態に係る椅子の正面図である。
【図４】この発明の第１の実施形態に係る椅子の左側面図である。
【図５】この発明の第１の実施形態に係る椅子の背面図である。
【図６】この発明の第１の実施形態に係る椅子の上面図である。
【図７】この発明の第１の実施形態に係る椅子の図５のＶＩＩ−ＶＩＩ断面に対応する断面図である。
【図８】この発明の第１の実施形態に係る椅子の図５のＶＩＩＩ−ＶＩＩＩに断面に対応する断面図である。
【図９】この発明の第１の実施形態に係る遮蔽部材の一部の分解斜視図である。
【図１０】この発明の第１の実施形態に係る椅子の図５のＸ−Ｘ断面に対応する断面図である。
【図１１】この発明の第１の実施形態に係る椅子の上面図である。
【図１２】この発明の第２の実施形態に係る椅子の上面図である。
【図１３】この発明の第３の実施形態に係る遮蔽部材とヘッドレストの骨格部の分解斜視図である。
【図１４】この発明の第３の実施形態に係る遮蔽部材とヘッドレストの縦断面図である。
【図１５】この発明の第３の実施形態に係る遮蔽部材とヘッドレストの上面図である。
【図１６】この発明の第４の実施形態に係る遮蔽部材とヘッドレストの骨格部の分解斜視図である。
【図１７】この発明の第４の実施形態に係る遮蔽部材とヘッドレストの縦断面図である。
【発明を実施するための形態】
【００２３】
以下、この発明の実施形態を図面に基づいて説明する。なお、以下の説明においては、椅子１に正規姿勢で着座した人の前方を「前」、それと逆側を「後」と呼ぶものとする。また、「上」，「下」と「左」，「右」については、椅子１に正規姿勢で着座した人の上方を「上」、それと逆側を「下」と呼び、椅子に正規姿勢で着座した人の左側方を「左」、それと逆側を「右」と呼ぶものとする。また、図中矢印ＦＲは前方を指し、矢印ＵＰは上方を、矢印ＬＨは左側方をそれぞれ指すものとする。また、各実施形態においては、共通部分に同一符号を付して重複する説明を省略するものとする。
【００２４】
図１は、第１の実施形態に係る椅子１の一使用形態を示す図であり、図２は、第１の実施形態に係る椅子１の他の使用形態を示す図である。
この実施形態に係る椅子１は、例えば、図１に示すように、長尺なテーブル７０の上を複数人が執務領域として共用する場合や、図２に示すように、個人が小型の専用机７１を使用する場合でも、所謂集中ブース等で椅子１の着座部の周囲を外部環境から遮断したいとき等に有効となる。なお、後述する他の実施形態の椅子においても同様の使用形態を採用することができる。
【００２５】
図３は、第１の実施形態に係る椅子１を正面から見た図であり、図４は、椅子１を左側方から見た図である。また、図５は、椅子１を背面から見た図であり、図６は、椅子１を上面から見た図である。
これらの図に示すように、この実施形態に係る椅子１は、床面上に載置される脚部１０と、脚部１０の上端に設置されるボックス状の支基１１と、支基１１の上面側に取り付けられて着座者の臀部を支持する座１２と、支基１１の後部に取り付けられて着座者ｍの背部を支持する背凭れ１３と、座１２の下面側の左右の両側部から座１２の上方側に延出し、着座者ｍの肘や腕先が載せ置かれる肘掛け１５と、を備えている。さらに、椅子１は、背凭れ１３の上部に取り付けられて、着座者ｍの頭部ｈを後方から支持するヘッドレスト１６と、ヘッドレスト１６を介して背凭れ１３の上部に取り付けられて、着座者ｍの頭部ｈの後方側と左右の側方を覆う遮蔽部材１７と、を備えている。
【００２６】
脚部１０は、キャスタ１８ａ付きの多岐脚１８と、多岐脚１８の中央部より起立して昇降機構であるガススプリングを内蔵する脚柱１９と、を備え、脚柱１９の上端部に支基１１が取り付けられている。支基１１には、脚柱１９の昇降調整機構と背凭れ１３の傾動調整機構が内蔵されている。なお、脚柱１９の軸心Ａ（図４参照）の位置は、座１２の前後方向における中央位置か、或いは、その中央位置よりもやや後方位置であることが望ましい。
【００２７】
背凭れ１３は、着座者ｍの背部から荷重を受ける背凭れ本体２０と、背凭れ本体２０の背部に取り付けられ、着座者ｍの荷重を支持する強度を有する背凭れフレーム２１と、を備えている。背凭れ本体２０は、正面視が略矩形状の樹脂製の背板２０ａ（図５参照）を有し、背板２０ａの前面と周縁部とが表皮材２０ｂによって覆われている。また、背凭れ本体２０は、着座者ｍの腰部に対応する位置（下から三分の一程度上方に上がった位置）が最も前方に膨出するように、上下方向に沿って湾曲して形成されている。この実施形態の場合、背凭れ本体２０のこの部分が、着座者ｍの腰部位置に向かって前方に膨出して着座者ｍの腰部を支持する膨出部２０ｃを構成している。
【００２８】
膨出部２０ｃの最前突出位置Ｐは、図４に示すように、脚柱１９の軸心Ａの位置よりもも後方に位置している。また、背凭れ本体２０（背凭れ１３）の前面は、膨出部２０ｃよりも上方側が後傾するように、側面視で前方に凸に湾曲して形成されている。具体的には、背凭れ本体２０の膨出部２０ｃよりも上方側領域の前面は、膨出部２０ｃの最前突出位置Ｐを通る脚柱１９の軸心Ａと平行な直線Ｂに対し上部側に向かって後方に傾斜している。
【００２９】
背凭れフレーム２１は、正面視が下向きの略五角形状の枠状フレーム部２１Ａと、枠状フレーム部２１Ａの下端から下方に延出した後に前方側に湾曲して延びる連結フレーム部２１Ｂと、を有している。連結フレーム部２１Ｂの端部は、図示しない連結ステーを介して支基１１内の傾動機構に連結されている。
【００３０】
背凭れフレーム２１の枠状フレーム部２１Ａは、背凭れ本体２０の後方側に配置され、上半部の左右の側辺部２１Ａ−ｓ，２１Ａ−ｓと下端側の縁部とが背凭れ本体２０に対して連結されている。左右の側辺部２１Ａ−ｓ，２１Ａ−ｓの上端部同士は、背凭れフレーム２１の上部側の横梁を成す上辺部２１Ａ−ｕによって連結されている。
上辺部２１Ａ−ｕは、側辺部２１Ａ−ｓ，２１Ａ−ｓに連結される左右の端部に対し、中央領域が後方側に凹状に湾曲している。上辺部２１Ａ−ｕの幅方向の中央領域の後面には、ヘッドレスト１６等の付加機能部品を取り付けるための部品取付部２３が設けられている。部品取付部２３には、詳細な図示は省略するが付加機能部品の取付基部が当接する座面と、その取付基部を締結固定するためのボルト締結部が設けられている。この実施形態では、部品取付部２３にはヘッドレスト１６が取り付けられている。
【００３１】
図７は、図５のＶＩＩ−ＶＩＩ断面に対応するヘッドレスト１６と遮蔽部材１７の断面図であり、図８は、図５のＶＩＩＩ−ＶＩＩＩ断面に対応するヘッドレスト１６と遮蔽部材１７の断面図である。また、図９は、遮蔽部材１７の一部を分解して示した図であり、図１０は、図５のＸ−Ｘ断面に対応するヘッドレスト１６と遮蔽部材１７の断面図である。
ヘッドレスト１６は、図８に示すように、クッション材２５ａの外側が表皮材２５ｂによって被覆されたヘッドレスト本体部２５と、上部側がヘッドレスト本体部２５内に埋設される金属等の硬質材料から成るヘッドレストフレーム２６と、を備え、ヘッドレストフレーム２６の下縁部が、背凭れフレーム２１の部品取付部２３に締結固定される取付基部２６ａとされている。また、ヘッドレストフレーム２６の取付基部２６ａの上端部位置には、図５，図１０に示すように、左右の側方に張り出してヘッドレスト本体部２５の下面を支持する側方張り出し部２６ｂ，２６ｂが一体に形成されている。側方張り出し部２６ｂには、図１０に示すように、遮蔽部材１７を取り付けるために締結孔２７（ねじ孔）が形成されている。
【００３２】
遮蔽部材１７は、図６，図７に示すように、上面視が略Ｕ字状に形成されており、背凭れフレーム２１の上部に取り付けられた状態において、着座者ｍの頭部ｈの後方側を覆う後壁部１７Ａと、着座者ｍの左右の側方を覆う側壁部（遮蔽用側壁部）１７Ｂ，１７Ｂと、を有している。左右の側壁部１７Ｂ，１７Ｂは、後壁部１７Ａによって相互に連結されている。また、後壁部１７Ａは、遮蔽部材１７が背凭れフレーム２１の上部に取り付けられた状態において、ヘッドレスト１６のクッション材２５ａの背部側に配置される。
【００３３】
側壁部１７Ｂ，１７Ｂは、遮蔽部材１７が背凭れフレーム２１の上部に取り付けられた状態において、背凭れ１３の幅方向の両端部の近傍から前方に延出している。また、側壁部１７Ｂ，１７Ｂは、図４に示すように、遮蔽部材１７が背凭れフレーム２１の上部に取り付けられた状態において、脚部１０の接地部の中心位置（脚柱１９の軸心Ａの位置）よりも前方側まで延出している。したがって、正規姿勢で椅子１に着座した着座者ｍの頭部ｈ（耳及び目の高さ位置）の左右の側方は、左右方向に充分な離間幅をもち、なおかつ、前後方向に充分な長さをもって側壁部１７Ｂ，１７Ｂによって覆われる。
【００３４】
また、図４に示すように、左右の側壁部１７Ｂの上辺は、後壁部１７Ａと連結される基部側からほぼ水平に前方に延出しているが、側壁部１７Ｂの下辺は、後壁部１７Ａと連接される基部側が若干斜め下方に延出した後に上方側に大きく湾曲して前方に延出している。したがって、側壁部１７Ｂの先端側の下面は基部側の下面に対して上方側に凹状に窪んでいる。このため、側壁部１７Ｂの下辺は、凹状の窪み部４０によって着座者ｍの肩部が接触するのを回避することができる。なお、左右の側壁部１７Ｂ，１７Ｂは、遮蔽部材１７が背凭れ１３に設置された状態において、これらの下端部が背凭れ１３の上端部と略同一高さに位置されている。
【００３５】
また、図３，図６，図７等に示すように、側壁部１７Ｂの凹状の窪み部４０の上方側位置には、着座者ｍ側に向かって部分的に膨出する膨出部４１が形成されている。この膨出部４１は、正規姿勢で椅子１に着座した着座者ｍの側部下方の視界を遮蔽するように機能する。また、膨出部４１は、側壁部１７Ｂの外側方から内側方へ向かおうとする音を遮断するとともに、側壁部１７Ｂの下辺を回り込んで着座者ｍの頭部ｈ側に回り込もうとする音を遮断するようにも機能する。なお、膨出部４１の側壁部１７Ｂの前後方向における最適位置は、正規姿勢で椅子１に着座した着座者の目や耳の外側方位置である。
【００３６】
遮蔽部材１７は、強度部材として機能する芯材板３０と、芯材板３０の外側を覆う吸音性を有する外装部材３１と、外装部材３１の外側を覆う袋状の表皮材３２と、を備えている。芯材板３０としては、例えば、金属製の板材等を用いることができ、外装部材３１としては、樹脂繊維を主原料とするウレタンや不織布等を用いることができる。また、表皮材３２としては、樹脂繊維等の織物等を用いることができる。
【００３７】
芯材板３０は、図９等に示すように、上面視が略Ｕ字状に形成され、後壁部３０ａと、後壁部３０ａの左右の両側部から緩やかに湾曲して前方に向かって延出する側壁部３０ｂ，３０ｂと、を有している。芯材板３０は、遮蔽部材１７が背凭れ１３に設置された状態で前後となる方向が後壁部３０ａ（略中央領域）の板厚方向となる。また、芯材板３０の後壁部３０ａの下端の左右に離間した位置には、遮蔽部材１７をヘッドレストフレーム２６に締結固定するための固定片２９，２９（連結部，下部側連結部）が前方側に屈曲して延設されている。
【００３８】
外装部材３１は、芯材板３０に外嵌されて芯材板３０の表裏両側を覆う内側クッション層３１Ａと、内側クッション層３１Ａのさらに表裏両側を覆う外側クッション層３１Ｂと、を有している。内側クッション層３１Ａは、外側クッション層３１Ｂよりも高密度、かつ高剛性に形成されている。また、内側クッション層３１Ａの肉厚は、外側クッション層３１Ｂの肉厚よりも薄く形成されている。
【００３９】
内側クッション層３１Ａは、平面視が略同形状の同材質の二枚のクッション部材が熱溶着等によって接合されて構成されている。ここで、着座者ｍ側に位置されるクッション部材を前層部３１Ａ−ｆと呼び、着座者ｍと相反する側に位置されるクッション部材を後層部３１Ａ−ｒと呼ぶものとすると、相互に接合された前層部３１Ａ−ｆと後層部３１Ａ−ｒの間には、芯材板３０と略同一幅で下方側に開口するスリット３３が形成されている。
【００４０】
また、外側クッション層３１Ｂは、平面視が内側クッション層３１Ａと略同形状の二枚のクッション部材によって構成されている。ここで、着座者ｍ側に位置されるクッション部材を前層部３１Ｂ−ｆと呼び、着座者ｍと相反する側に位置されるクッション部材を後層部３１Ｂ−ｒと呼ぶものとすると、前層部３１Ｂ−ｆは、内側クッション層３１Ａの前層部３１Ａ−ｆの前面側に溶着等によって一体に接合されており、後層部３１Ｂ−ｒは、内側クッション層３１Ａに接合されずに、表皮材３２の裏面側の内面に縫合や接着等によって接合されている。外側クッション層３１Ｂの前層部３１Ｂ−ｆが内側クッション層３１Ａに接合されたユニットを、以下、外装ユニットＵと呼ぶ。
【００４１】
遮蔽部材１７を製造する場合に、図９に示すように、芯材板３０と、外装ユニットＵと、裏面側の内側面に外側クッション層３１Ｂの後層部３１Ｂ−ｒを接合した表皮材３２と、を用意し、最初に、外装ユニットＵのうちの内側クッション層３１Ａのスリット３３に対し、芯材板３０を下方から挿入する。このとき、芯材板３０は、下端の一対の固定片２９，２９を除くほぼ全域がスリット３３内に配置され、一対の固定片２９，２９は、外装ユニットＵの下端から下方前方側に突出する。
【００４２】
また、スリット３３は内側クッション層３１Ａの長手方向の全長に対して充分に短く形成されている。このため、芯材板３０が外装ユニットＵに内装されると、芯材板３０の左右の側壁部３０ｂ，３０ｂの先端側に、外装ユニットＵのクッション部材（軟質基材）だけの部分ができる。したがって、芯材板３０は、左右方向の端部（側壁部３０ｂの各端部）が遮蔽部材１７の側壁部１７Ｂの軟質基材の一部にのみ埋設される。
【００４３】
次に、この状態から芯材板３０をスリット３３内に配置した外装ユニットＵを、袋状の表皮材３２の下端の開口を通して表皮材３２の内側に収容する。このとき、内側クッション層３１Ａの後層部３１Ａ−ｒの背面側には、表皮材３２の裏面側の内側面に接合された外側クッション層３１Ｂの後層部３１Ｂ−ｒが重ね合せられる。また、このとき一対の固定片２９，２９は、表皮材３２の下端から下方前方側に突出する。最後に、袋状の表皮材３２の下端の開口が線ファスナー等によって閉じられる。
【００４４】
また、このようにして製造された遮蔽部材１７は、後壁部１７Ａをヘッドレスト１６の背部にあてがい、図１０に示すように、左右の各固定片２９をヘッドレストフレーム２６の側方張り出し部２６ｂの下面に当接させてビス３４を締め込むことにより、ヘッドレスト１６に一体に固定される。
そして、こうしてヘッドレスト１６に固定された遮蔽部材１７は、ヘッドレスト１６の取付基部２６ａが背凭れフレーム２１の上部の部品取付部２３に締結されることにより、背凭れ１３に一体に固定される。
【００４５】
以上のように、この実施形態に係る遮蔽部材１７は、背凭れ１３の上部に設置されるものであり、背凭れ１３の上部の左右両側から前方に延出する一対の側壁部１７Ｂ，１７Ｂを有し、その左右の側壁部１７Ｂ，１７Ｂが椅子１の脚部１０の接地部の中心位置よりも前方側位置まで延出している。
通常、着座者ｍが正規姿勢で椅子１に着座すると、着座者ｍの頭部ｈは脚部１０の接地部の中心位置よりも後方側に位置される。このため、この実施形態に係る椅子１に着座者ｍが正規姿勢で着座すると、着座者ｍの頭部ｈは、その左右の側方を遮蔽部材１７の側壁部１７Ｂ，１７Ｂによって覆われる。したがって、この実施形態に係る遮蔽部材１７を用いた椅子１においては、椅子１の移動位置等に拘わらず、着座者ｍの頭部ｈの側方の不要な外部視界を側壁部１７Ｂ，１７Ｂによって安定的に遮蔽することができる。
【００４６】
また、遮蔽部材１７が取り付けられるこの実施形態に係る椅子１は、着座者ｍの腰部位置に向かって前方に膨出するとともに、その最前突出位置Ｐが脚部１０の接地部の中心位置（脚柱１９の軸心Ａの位置）よりも後方に位置する膨出部２０ｃが背凭れ１３に設けられている。このため、着座者ｍが正規姿勢で椅子１に着座すると、着座者ｍの腰部位置が、脚部１０の接地部の中心位置よりも後方に位置する背凭れ１３の膨出部２０ｃに当たり、着座者ｍの頭部ｈを含む上体が後傾して背凭れ１３の上部前面に近接する位置（ヘッドレスト１６に近接する位置）に位置されるようになる。したがって、この実施形態に係る椅子１においては、着座者ｍの頭部ｈを、腰部位置よりも相対的に後方側に位置させることができるため、着座者ｍの頭部ｈの左右の側方を、遮蔽部材１７の側壁部１７Ｂ，１７Ｂによって、より確実に遮蔽することができる。
【００４７】
また、この実施形態に係る椅子１の背凭れ１３は、膨出部２０ｃよりも上方側が後傾するように側面視で前方に凸に湾曲、若しくは、屈曲して形成されている。このため、この実施形態に係る椅子１においては、着座者ｍの腰部を無理に曲げることなく、着座者ｍの腰部よりも上方部分を自然に後傾させて、頭部ｈをヘッドレスト１６の前部位置に位置させることができる。
【００４８】
この実施形態に係る遮蔽部材１７は、背凭れ１３に設置された状態において、側壁部１７Ｂが背凭れ１３の幅方向の両端部の近傍から前方に延出する構造とされている。このため、着座者ｍが正規姿勢で椅子１に着座すると、着座者ｍの頭部ｈや肩部が左右の側壁部１７Ｂ，１７Ｂから充分に離間することになる。したがって、この実施形態に係る椅子１に着座した着座者ｍは、遮蔽部材１７と干渉することなく、上半身を余裕をもって動かすことができる。
【００４９】
また、この実施形態に係る遮蔽部材１７は、背凭れ１３に設置された状態において、側壁部１７Ｂの下端部が背凭れ１３の上端部と略同一高さとなるように形成されている。このため、着座者ｍが正規姿勢で椅子１に着座すると、着座者ｍの頭部ｈよりも下側部分が側壁部１７Ｂによって遮蔽されずに、外部から見え易くなる。したがって、この構造を採用した場合には、椅子１に人が着座しているか否かを、椅子１の側方や斜め後ろ側からでも容易に目視確認することができる。
【００５０】
また、この実施形態に係る遮蔽部材１７は、背凭れ１３に設置された状態において、背凭れ１３の上端部よりも前方側位置で上方側に凹状に窪む窪み部４０が側壁部１７Ｂの下縁に設けられている。これにより、椅子１に着座した着座者ｍの肩部を避けるように側壁部１７Ｂに窪み部４０が設けられることになり、着座者ｍの肩部が側壁部１７Ｂと干渉しにくくなる。
【００５１】
さらに、この実施形態に係る遮蔽部材１７は、背凭れ１３に設置された状態において、左右の側壁部１７Ｂ，１７Ｂが背凭れ１３の上部側で後壁部１７Ａによって相互に連結されている。これにより、遮蔽部材１７は、左右の側壁部１７Ｂ，１７Ｂと後部の後壁部１７Ａとによって平面視で略Ｕ字形状を成すようになり、側壁部１７Ｂの前方側から荷重が入力されたときに後壁部１７Ａでその荷重を安定的に受け止めることができる。したがって、この構造を採用することにより、遮蔽部材１７の強度を高めることができる。
【００５２】
特に、この実施形態に係る遮蔽部材１７は、背凭れ１３に設置された状態で前後方向となる方向が中央領域（後壁部３０ａ）の肉厚方向となる芯材板３０を有している。このため、側壁部１７Ｂの前方側から荷重が入力されたときに、後壁部１７Ａでその荷重をより安定的に受け止めることができる。
【００５３】
さらに、この実施形態に係る遮蔽部材１７は、芯材板３０がヘッドレスト１６を介して背凭れ１３側に連結される固定片２９を有するとともに、左右の両端部が側壁部１７Ｂの軟質基材（外装部材３１）の一部にのみ埋設されている。このため、芯材板３０を固定片２９を介して背凭れ１３に確実に固定することができるとともに、着座者ｍや着座者以外の人が側壁部１７Ｂに接触した場合には、図１１に示すように、側壁部１７Ｂの前縁部が柔軟に撓んで接触者の動きを拘束したり、接触者に違和感を与えたりするのを抑制することができる。
【００５４】
なお、この実施形態においては、遮蔽部材１７の芯材板３０が上面視で略Ｕ字状に形成されて、芯材板３０の両側縁部が前方を向いた状態で側壁部１７Ｂの軟質基材（外装部材３１）に埋設されているが、図１２に示す第２の実施形態のように、芯材板１３０を上面視で略直線状に形成して、芯材板１３０の両端部を、側壁部１７Ｂの基端部にのみ埋設するようにしても良い。図１２においては、上記の実施形態と同一部分に同一符号を付してある。
この第２の実施形態の場合、着座者ｍや着座者以外の人が側壁部１７Ｂに接触したときに、図１２に示すように、側壁部１７Ｂのほぼ全域を柔軟に撓み変形させることができる。
【００５５】
また、この実施形態に係る遮蔽部材１７においては、後壁部１７Ａがヘッドレスト１６の後方位置に設置されているため、着座者ｍの頭部ｈが後方に凭れたときに、その荷重をヘッドレスト１６で受け止め、着座者ｍの頭部ｈの荷重が後壁部１７Ａに直接入力されるのを抑制することができる。
【００５６】
また、この実施形態に係る遮蔽部材１７では、ヘッドレスト１６がその下部側の取付基部１６ａにおいて背凭れ１３に取り付けられ、遮蔽部材１７の下端から前方に延出する固定片２９（下部側連結部）が、ヘッドレスト１６の下部の側方張り出し部２６ｂに結合される構造とされている。このため、着座者ｍの頭部ｈ等からヘッドレスト１６に小荷重が入力されたときに、ヘッドレスト１６から後壁部１７Ａの上部領域に荷重が伝達されるのを抑制することができる。したがって、遮蔽部材１７の振れを抑制することができる。また、ヘッドレスト１６に前方側から大荷重が入力されたときには、ヘッドレスト１６と後壁部１７Ａが二重になってその大荷重を強固に受け止めることができる。
【００５７】
また、この遮蔽部材１７を採用した場合には、遮蔽部材１７の後壁部１７Ａを固定片２９でヘッドレスト１６の下部に結合して、遮蔽部材１７とヘッドレスト１６を予め組み付けておき、その状態で遮蔽部材１７をヘッドレスト１６とともに背凭れ１３に取り付けることができる。したがって、背凭れ１３に対する遮蔽部材１７とヘッドレスト１６の組み付け作業を容易化することができる。また、この実施形態の場合、遮蔽部材１７を背凭れ１３に直接取り付けるための部品が不要であるため、ヘッドレスト１６と遮蔽部材１７を個別に背凭れ１３に取り付ける場合に比較して、背凭れに取り付けるための部品の点数を削減することができる。
【００５８】
つづいて、図１３〜図１５に示す第３の実施形態について説明する。
図１３は、遮蔽部材１１７とヘッドレスト１１６の骨格部を分解して左前部下方側から見た図であり、図１４は、遮蔽部材１１７とヘッドレスト１１６の縦断面図である。また、図１５は、遮蔽部材１１７とヘッドレスト１１６を椅子の上方側から見た図である。
ヘッドレスト１１６は、ヘッドレスト本体部１２５が、硬質樹脂から成り強度部材として機能する荷重支持板１２５ｃと、荷重支持板１２５ｃの前面側に配置されるクッション材１２５ａ（図１４参照）と、クッション材１２５ａと荷重支持板１２５ｃの外側を覆う表皮材１２５ｂ（図１４参照）と、を備えている。荷重支持板１２５ｃの前面は、上下方向の略中央部が前方に最大に膨出するように湾曲して形成されている。荷重支持板１２５ｃの後面には、補強用の複数のリブ３５と４本の結合用ボス部３７が一体に形成されている。結合用ボス部３７は、荷重支持板１２５ｃの後面の上下左右の中心位置を取り囲む離間した４か所に突設されている。この実施形態の場合、リブ３５と結合用ボス部３７は、いずれも後部上方側に向かって傾斜している。各結合用ボス部３７には軸方向に沿うようにねじ孔３７ａが形成されている。
【００５９】
荷重支持板１２５ｃの後面に突設された結合用ボス部３７には、カラー５０を介して連結金具５１がボルト５２（図１４参照）によって締結固定されている。連結金具５１は、矩形枠状の金属板を複数段に屈曲させて形成され、カラー５０を介してヘッドレスト１１６側に締結される締結面と、遮蔽部材１１７側に締結される締結面とがそれぞれ異なる方向を指向している。なお、この実施形態の場合、カラー５０は、連結金具５１のヘッドレスト１１６側の締結面を貫通した状態で、その締結面に結合されている。連結金具５１の遮蔽部材１１７側に締結される締結面には、図示しないボルト挿通孔が形成されており、そのボルト挿通孔に臨む連結金具５１の前側の縁部にはナット５３が溶接固定されている。このナット５３には、遮蔽部材１１７を取り付けるためのボルト４９が螺合される。
また、連結金具５１は、図１４に示すように、ボルト５２によって荷重支持板１２５ｃの後面に取り付けられた状態において、その外側面側を表皮材１２５ｂによって覆われる。ただし、連結金具５１の遮蔽部材１１７側に締結される締結面の一部（ナット５３の溶接される部位の後面側部分）は、表皮材１２５ｂから外側に露出している。
【００６０】
また、ヘッドレスト本体部１２５の下端部には、図１４に示すように、金属や硬質樹脂等から成る取付部１２６が一体に取り付けられている。取付部１２６は、ヘッドレスト本体部１２５の下面にボルト締結等によって一体に結合されている。取付部１２６は、幅方向の略中央から下方に延出して背凭れ１３の部品取付部に締結固定される取付基部１２６ａと、取付基部１２６ａの上端から左右の側方に張り出してヘッドレスト本体部１２５の下面に結合される側方張り出し部（図示せず）を備えている。
【００６１】
遮蔽部材１１７は、第１の実施形態と同様に、上面視が略Ｕ字状に形成されており、背凭れフレーム２１の上部に取り付けられた状態において、着座者ｍの頭部ｈの後方側を覆う後壁部１１７Ａと、着座者ｍの頭部ｈの左右の側方を覆う側壁部（遮蔽用側壁部）１１７Ｂ，１１７Ｂと、を有している。左右の側壁部１１７Ｂ，１１７Ｂは、後壁部１１７Ａによって相互に連結されている。後壁部１１７Ａは、遮蔽部材１１７が背凭れフレーム２１の上部に取り付けられた状態において、ヘッドレスト本体部１２５の後方側に配置される。
【００６２】
この第３の実施形態の場合も、左右の側壁部１１７Ｂ，１１７Ｂは、遮蔽部材１１７が背凭れフレーム２１の上部に取り付けられた状態において、前端部が椅子の脚柱の軸心の位置よりも前方側まで延出するように形成されている。また、左右の側壁部１１７Ｂ，１１７Ｂは、遮蔽部材１１７が背凭れフレーム２１の上部に取り付けられた状態において、背凭れ１３の幅方向の両端部の近傍から前方側に延出している。遮蔽部材１１７の外側の形状等は第１の実施形態とほぼ同様とされている。
【００６３】
第３の実施形態に係る遮蔽部材１１７は、第１の実施形態と同様に強度部材の外側に、ウレタンや不織布等から成る外装部材３１と、樹脂繊維等の織物等から成る表皮材３２とが被着されている。ただし、遮蔽部材１１７の内側に配置される強度部材は、第１の実施形態のような芯材板ではなく、中実若しくは中空の３本の金属製のロッドフレーム４５と、複数の連結金具４６，４６，４７，４７を主とするフレーム体４８によって構成されている。
【００６４】
３本のロッドフレーム４５は、上下方向に等間隔に離間して配置され、長手方向の両端部が連結金具４６によって連結されるとともに、長手方向の中央付近の離間した２位置が連結金具４７によって連結されている。ロッドフレーム４５と連結金具４６，４７は溶接等によって結合されている。３本のロッドフレーム４５は、長手方向において全体が略Ｕ字状に曲げられ、それによって中央の後壁部１１７Ａとその両側の側壁部１１７Ｂの骨格が形成されている。
【００６５】
連結金具４６，４７は、上下方向に長い金属板によって形成されている。中央付近に配置される二つの連結金具４７は、上下に離間した２位置に、それぞれボルト挿通孔４７ａが形成されている。これらのボルト挿通孔４７ａには、遮蔽部材１１７をヘッドレスト１１６に固定するためのボルト４９が挿通されるようになっている。
【００６６】
遮蔽部材１１７のフレーム体４８は、その外側に外装部材３１と表皮材３２が被着される前に、中央付近の連結金具４７（後壁部１１７Ａの一部を構成する領域）がボルト４９によってヘッドレスト１１６の背部に締結固定される。具体的には、各ボルト４９の軸部が挿通されるカラー５４を予め用意しておき、フレーム体４８の連結金具４７の前面とヘッドレスト１１６側の連結金具５１の後面（表皮材１２５ｂから露出した部分）の間にカラー５４を配置する。そして、フレーム体４８の連結金具４７の後面側からボルト４９の軸部を対応するカラー５４に挿通し、そのボルト４９の軸部の先端部を、ヘッドレスト１１６側の連結金具５１のナット５３に螺合する。フレーム体４８の連結金具４７は、こうして各ボルト４９を締め込むことにより、カラー５４を介してヘッドレスト１１６の背部に締結固定される。この結果、遮蔽部材１１７の後壁部１１７ｂとヘッドレスト１１６の後面の間には一定以上の離間スペースが確保される。
なお、この実施形態においては、各ボルト４９とカラー５４が、遮蔽部材１１７をヘッドレスト１１６に連結する上部側連結部を構成している。
【００６７】
フレーム体４８は、このようにしてヘッドレスト１１６の後部に取り付けられた後に、その外側部分に上方側から外装部材３１と表皮材３２が被着される。なお、外装部材３１と表皮材３２のうちの、連結金具４７の前面側に位置される部位には、カラー５４の前方側への突出を許容するための図示しないスリットと孔が形成されている。また、表皮材３２の下端の開口は、フレーム体４８に被着した後に図示しない線ファスナー等によって閉じられる。
【００６８】
この第３の実施形態に係る遮蔽部材１１７は、基本的な構成は第１の実施形態とほぼ同様であるため、第１の実施形態と同様の遮蔽効果を得ることができる。
また、この第３の実施形態に係る遮蔽部材１１７においては、ヘッドレスト１１６が、下部側の取付基部１２６ａにおいて背凭れ２０の上部に取り付けられ、後壁部１１７Ａの上下方向の略中央領域が、上部側連結部であるボルト４９とカラー５４を介してヘッドレスト１１６の後面に連結固定されている。このため、後壁部１１７の支持バランスが良好になる。したがって、この構造を採用することにより、遮蔽部材１１７の過大な振れを抑制することができる。
【００６９】
さらに、この第３の実施形態に係る遮蔽部材１１７は、上部側連結部であるボルト４９とカラー５４を介して後壁部１１７Ａの上下方向の略中央領域のみがヘッドレスト１１６に連結されるため、着座者ｍの頭部ｈ等からヘッドレスト１１６に荷重が入力されたときに、後壁部１１７Ａがヘッドレスト１１６と一体になって後方に移動する。このため、後壁部１１７Ａに不要な応力が生じにくくなり、遮蔽部材１１７Ａの耐久性が向上する。
【００７０】
図１６，図１７は、第４の実施形態に係る遮蔽部材２１７とヘッドレスト１１６を示す図である。図１６は、遮蔽部材２１７とヘッドレスト１１６の骨格部を分解して示した図であり、図１７は、遮蔽部材２１７とヘッドレスト１１６の縦断面図である。
この第４の実施形態に係る遮蔽部材２１７は、基本的な構成は第３の実施形態とほぼ同様であるが、フレーム体４８の後壁部２１７Ａの骨格を成す部分の左右の下縁部に、下部側連結部を成す固定片２２９が延設されている点が異なっている。
【００７１】
具体的には、フレーム体４８のロッドフレーム４５の後壁部２１７Ａ相当領域のうちの、中央の連結金具４７よりも幅方向の外側の２位置には、下方から前方に向かって略Ｌ字状に屈曲する金属製の固定片２２９（下部側連結部）が一体に取り付けられている。各固定片２２９の前端部は、取付部１２６の左右の側方張り出し部にビス３４によって締結固定される。したがって、この第４の実施形態に係る遮蔽部材２１７は、上部側連結部であるボルト４９とカラー５４を介して後壁部１１７Ａの上下方向の略中央領域がヘッドレスト１１６の略中央部の後面に結合されるとともに、後部壁１１７Ａの左右の下部領域が、固定片２２９を介してヘッドレスト１１６の下部に結合される。
【００７２】
この第４の実施形態に係る遮蔽部材２１７は、第３の実施形態と同様に、ボルト４９とカラー５４を介して後壁部１１７Ａの上下方向の略中央領域がヘッドレスト１１６の略中央部の後面に結合されるため、後壁部１１７の支持バランスが良好になる。
この第４の実施形態の場合、さらに、後部壁１１７Ａの左右の下部領域も固定片２２９を介してヘッドレスト１１６の下部に結合されているため、遮蔽部材２１７をヘッドレスト１１６により安定的に支持させることができる。
【００７３】
また、この実施形態では、ヘッドレスト１１６の下部とヘッドレスト１１６の後面側の中央領域が、遮蔽部材２１７の下部側の固定片２２９とフレーム体４８とボルト４９及びカラー５４を介して相互に連結されることになる。このため、この実施形態の場合、ヘッドレスト１１６の支持剛性を高めることができる。特に、この実施形態の場合、ヘッドレスト１１６の後面側の中央領域と下部側の左右に離間した二位置が遮蔽部材２１７の骨格部を介して連結されるため、ヘッドレスト１１６の支持剛性をバランス良く高めることができる。
【００７４】
なお、この発明は上記の実施形態に限定されるものではなく、その要旨を逸脱しない範囲で種々の設計変更が可能である。例えば、上記の実施形態に係る椅子においては、背凭れ１３の前面側の上方側領域が全体的に後方に傾斜するように膨出部２０ｃが形成されているが、着座者の腰部に対応する部分のみが局部的に前方に膨出するように膨出部を形成するようにしても良い。
さらに、上記の実施形態においては、遮蔽部材１７がヘッドレスト１６に固定されてヘッドレスト１６とともに椅子１の背凭れ１３に取り付けられているが、ヘッドレスト１６を背凭れ１３に取り付けずに、遮蔽部材１７を単独で背凭れ１３に取り付けるようにしても良い。また、上記の実施形態においては、遮蔽部材１７が背凭れ１３と別体部品として製造され、背凭れ１３に追加機能部品として脱着可能に取り付けられているが、遮蔽部材は背凭れに一体に形成するようにしても良い。
【符号の説明】
【００７５】
１  椅子
１０  脚部
１２  座
１３  背凭れ
１６，１１６  ヘッドレスト
１７，１１７，２１７  遮蔽部材
１７Ａ，１１７Ａ  後壁部
１７Ｂ，１１７Ｂ  側壁部（遮蔽用側壁部）
２０ｃ  膨出部
２９  固定片（下部側連結部，連結部）
３０  芯材板
４０  窪み部
４９  ボルト（上部側連結部，連結部）
５４  カラー（上部側連結部，連結部）
【図１】
0006575747.tif 000002
【図２】
0006575747.tif 000003
【図３】
0006575747.tif 000004
【図４】
0006575747.tif 000005
【図５】
0006575747.tif 000006
【図６】
0006575747.tif 000007
【図７】
0006575747.tif 000008
【図８】
0006575747.tif 000009
【図９】
0006575747.tif 000010
【図１０】
0006575747.tif 000011
【図１１】
0006575747.tif 000012
【図１２】
0006575747.tif 000013
【図１３】
0006575747.tif 000014
【図１４】
0006575747.tif 000015
【図１５】
0006575747.tif 000016
【図１６】
0006575747.tif 000017
【図１７】
0006575747.tif 000018